(57)【要約】【課題】加熱部が高温時に、高温表示部と数値表示部を関連させて高温警告を表示させて使い勝ってのよいこと。【解決手段】複数の加熱コイル８からなる加熱部１４と感温素子９と数値表示部１１と高温表示部１２をと備え、高温時に高温表示部１２で高温を表示するとともに、加熱コイル８と対応する数値表示部１１の表示を高温である旨を示す文字で表示する構成とすることで、高温警告と数値表示部１１を関連付けて表示しかつ視認性を向上することができる。【選択図】図１
2013008604.tif 000002
【特許請求の範囲】
【請求項１】
トッププレートの下方に位置しかつ被加熱物を加熱するための複数の加熱コイルからなる加熱部と、前記加熱コイルに高周波電源を供給するインバータ回路と、前記加熱部の加熱出力を設定する複数の操作部と、前記加熱コイルの上方にそれぞれ設けられ前記トッププレートの裏面温度を検出する複数の感温素子と、前記感温素子の温度をそれぞれ検知する複数の温度検知部と、前記温度検知部が前記加熱コイルに対応する前記トッププレートのいずれかの裏面温度が高温であることを検出した時に高温警告のための高温表示を行う単独の高温表示部と、加熱中に前記操作部により設定された加熱出力を表示する複数の数値表示部と、前記温度検知部からの信号を検知し前記高温表示部に前記高温表示を表示させる制御部を備え、前記加熱コイルのいずれかが加熱動作を停止するとともに加熱動作を停止した前記加熱コイルに対応する前記感温素子が所定温度以上である場合に、前記加熱コイルと対応する前記数値表示部の表示を高温である旨を示す文字で点灯あるいは点滅するように切り替える構成とした加熱調理器。
【請求項２】
閉とすることで商用電源から前記インバータ回路に電源を供給しかつ開とすることで前記インバータ回路への電源供給を遮断する電源スイッチを備え、前記電源スイッチが開となる場合に、前記加熱コイルと対応する前記数値表示部の表示を高温である旨を示す文字で点灯あるいは点滅するように切り替える構成とした請求項１に記載の加熱調理器。
【請求項３】
前記電源スイッチが閉でかつ前記加熱部の加熱動作が停止している場合に、前記加熱コイルと対応する前記数値表示部の表示を高温である旨を示す文字で点灯あるいは点滅するように切り替える構成とした請求項２に記載の加熱調理器。
【請求項４】
前記数値表示部はデジタル数値表示を行い、高温である旨を示す文字としてアルファベットでＨの表示をするようにした請求項１〜３のいずれか１項に記載の加熱調理器。
【請求項５】
前記高温表示部は、複数の前記加熱コイルの高温状態を共用して表示する発光素子と前記発光素子の断線を検知する断線検知部とを備え、前記発光素子の断線を前記断線検知部が検知した場合には全ての前記加熱部の加熱動作を停止して前記数値表示部により対応するエラーコードをデジタル数値で表示を行う構成とした請求項１〜４のいずれか１項に記載の加熱調理器。
【発明の詳細な説明】
【技術分野】
【０００１】
本発明は、一般キッチンや業務用などに用いられる加熱調理器に関するものである。
【背景技術】
【０００２】
従来、この種の加熱調理器は、電源スイッチがオフであるとともに各加熱部が高温状態であるときに、高温表示部を点灯しかつ高温状態の加熱部に対応する操作表示部のバックライトを点滅するように切り替える構成となっている（例えば、特許文献１参照）。
【０００３】
図７は、特許文献１に記載された従来の加熱調理器の外観図を示すものである。第１操作表示部１０５と第２操作表示部１０６と第３操作表示部１０７は、各々の第１加熱部１０１と第２加熱部１０２と第３加熱部１０３の加熱設定状態を表示する。各操作表示部の真下には第１操作表示部１０５と第２操作表示部１０６と第３操作表示部１０７に対応する第１バックライト１０８と第２バックライト１０９と第３バックライト１１０を配置している。高温表示部１０４はトッププレート１１１の下方に設けられている。
【先行技術文献】
【特許文献】
【０００４】
【特許文献１】特開２００５−１４１９６３号公報
【発明の概要】
【発明が解決しようとする課題】
【０００５】
しかしながら、前記従来の構成では、電源スイッチオフ時に高温表示部が高温であることを表示した時、高温状態の加熱部と対応する操作表示部のバックライト表示を点滅するように切り替える事で高温となっている加熱部を同一平面上で特定するように構成しているが、使用者にとって操作表示部の点滅と加熱部が高温であることの相関が取れずに高温という旨の注意を促す指示が理解しにくいといった課題を有していた。
【０００６】
本発明は、前記従来の課題を解決するもので、加熱コイルのいずれかが加熱動作を停止するとともに加熱動作を停止した加熱コイルに対応する感温素子が所定温度以上である場合に、加熱コイルと対応する数値表示部の表示を高温である旨を示す文字で点灯あるいは点滅するように切り替えることができるので、使用者にとって数値表示部の文字の点灯あるいは点滅と各加熱部の高温状態が関連して一目で理解でき、使い勝手の良い加熱調理器を提供することを目的とする。
【課題を解決するための手段】
【０００７】
前記従来の課題を解決するために、本発明の加熱調理器は、トッププレートの下方に位置しかつ被加熱物を加熱するための複数の加熱コイルからなる加熱部と、前記加熱コイルに高周波電源を供給するインバータ回路と、前記加熱部の加熱出力を設定する複数の操作部と、前記加熱コイルの上方にそれぞれ設けられ前記トッププレートの裏面温度を検出する複数の感温素子と、前記感温素子の温度をそれぞれ検知する複数の温度検知部と、前記温度検知部が前記加熱コイルに対応する前記トッププレートのいずれかの裏面温度が高温であることを検出した時に高温警告のための高温表示を行う単独の高温表示部と、加熱中に前記操作部により設定された加熱出力を表示する複数の数値表示部と、前記温度検知部からの信号を検知し前記高温表示部に前記高温表示を表示させる制御部を備え、前記加熱コイルのいずれかが加熱動作を停止するとともに加熱動作を停止した前記加熱コイルに対応する前記感温素子が所定温度以上である場合に、前記加熱コイルと対応する前記数値表示部の表示を高温である旨を示す文字で点灯あるいは点滅するように切り替える構成とし
たものである。
【０００８】
これによって、高温を注意喚起する高温表示部と数値表示部を関連付けて表示することができるので、使用者にとって視認性の向上と高温に対する注意喚起を合わせて行うことができる加熱調理器を提供することができる。
【発明の効果】
【０００９】
本発明の加熱調理器は、加熱部が高温である旨を注意喚起する手段として１桁以上の数値表示部と高温表示部を関連付けて表示することが可能であり、かつ、使用者にとって視認性の向上を図ることができ、従来までの加熱調理器と同様の扱いが可能である。
【図面の簡単な説明】
【００１０】
【図１】本発明の実施の形態１における加熱調理器の構成図
【図２】本発明の実施の形態１における加熱コイルと数値表示部の対応表示図
【図３】本発明の実施の形態２における加熱調理器の電源スイッチ開の構成図
【図４】本発明の実施の形態３における加熱調理器の電源スイッチ閉の構成図
【図５】本発明の実施の形態４における加熱コイルと数値表示部の対応表示図
【図６】本発明の実施の形態５における加熱調理器の構成図
【図７】従来の加熱調理器の外観図
【発明を実施するための形態】
【００１１】
第１の発明は、トッププレートの下方に位置しかつ被加熱物を加熱するための複数の加熱コイルからなる加熱部と、前記加熱コイルに高周波電源を供給するインバータ回路と、前記加熱部の加熱出力を設定する複数の操作部と、前記加熱コイルの上方にそれぞれ設けられ前記トッププレートの裏面温度を検出する複数の感温素子と、前記感温素子の温度をそれぞれ検知する複数の温度検知部と、前記温度検知部が前記加熱コイルに対応する前記トッププレートのいずれかの裏面温度が高温であることを検出した時に高温警告のための高温表示を行う単独の高温表示部と、加熱中に前記操作部により設定された加熱出力を表示する複数の数値表示部と、前記温度検知部からの信号を検知し前記高温表示部に前記高温表示を表示させる制御部を備え、前記加熱コイルのいずれかが加熱動作を停止するとともに加熱動作を停止した前記加熱コイルに対応する前記感温素子が所定温度以上である場合に、前記加熱コイルと対応する前記数値表示部の表示を高温である旨を示す文字で点灯あるいは点滅するように切り替える構成とすることで、使用者にとって数値表示部の文字の点灯あるいは点滅と各加熱部の高温状態が関連して一目で理解できるので、視認性の向上に繋がる。
【００１２】
第２の発明は、特に、第１の発明において、閉とすることで商用電源から前記インバータ回路に電源を供給しかつ開とすることで前記インバータ回路への電源供給を遮断する電源スイッチを備え、前記電源スイッチが開となる場合に、前記加熱コイルと対応する前記数値表示部の表示を高温である旨を示す文字で点灯あるいは点滅するように切り替える構成とすることで、使用者にとって数値表示部の文字の点灯あるいは点滅と各加熱部の高温状態が関連して一目で理解できるので視認性の向上に繋がる。
【００１３】
第３の発明は、特に、第２の発明において、前記電源スイッチが閉でかつ前記加熱部の加熱動作が停止している場合に、前記加熱コイルと対応する前記数値表示部の表示を高温である旨を示す文字で点灯あるいは点滅するように切り替える構成とすることで、使用者にとって数値表示部の文字の点灯あるいは点滅と各加熱部の高温状態が関連して一目で理解できるので、視認性の向上に繋がる。
【００１４】
第４の発明は、特に、第１〜３のいずれか１つの発明において、前記数値表示部はデジ
タル数値表示を行い、高温である旨を示す文字としてアルファベットでＨの表示をする構成とすることで、高温警告と理解できるＨＯＴの頭文字のＨと高温表示部を関連付けて表示することで、より一層の視認性の向上に繋がる。
【００１５】
第５の発明は、特に、第１〜４のいずれか１つの発明において、前記高温表示部は、複数の前記加熱コイルの高温状態を共用して表示する発光素子と前記発光素子の断線を検知する断線検知部を備え、前記発光素子の断線を前記断線検知部が検知した場合には全ての前記加熱部の加熱動作を停止して前記数値表示部により対応するエラーコードをデジタル数値で表示を行う構成とすることで、高温表示部の回路構成を簡略化し、設置スペースが小さくなるとともに、コストを抑制する効果がある。
【００１６】
以下、本発明の実施の形態について、加熱調理器を例にして、図面を参照しながら説明する。なお、この実施の形態によって本発明が限定されるものではない。
【００１７】
（実施の形態１）
図１は、本発明の実施の形態１における加熱調理器の構成図であり、図２は、本発明の実施の形態１における加熱コイルと数値表示部の対応表示図である。
【００１８】
図１において、商用電源３に整流回路４と平滑コンデンサ５を介して接続されたインバータ回路６には被加熱物２を誘導加熱する複数の加熱コイル８からなる加熱部が接続されている。
【００１９】
サーミスタなどからなる感温素子９は、被加熱物２を載置するためのトッププレート１の裏面に接しており、被加熱物２の底面温度を計測し、その検知温度を温度検知部１０に温度データとして入力する。
【００２０】
制御部７では、温度検知部１０の温度データに基づき、ＬＥＤなどからなる高温表示部１２に駆動信号を出力する。また、制御部７は、使用者から操作部１３により入力された加熱動作のレベルを数値表示部１１に表示させる。
【００２１】
図２において、数値表示部１１と操作部１３は加熱部１４の各箇所に対応した構成となっており、高温表示部１２は加熱部１４が高温である旨を表示する。
【００２２】
なお、数値表示部１１は加熱動作時には使用者によって設定された火力レベルを数値で表示を行い、加熱停止時には表示を行わないが、加熱停止時かつ加熱コイル８が高温である場合には高温表示部１２と関連付けて高温である旨を示す文字で点灯あるいは点滅を行う構成とする。
【００２３】
以上のように構成された加熱調理器について、以下その動作、作用を説明する。
【００２４】
まず、使用者にとって数値表示部の文字の点灯あるいは点滅と各加熱コイル８に対応する加熱部１４の高温状態が関連して一目で理解できるので視認性の向上に繋がるとともに、高温表示部を単独とすることで回路構成を簡略化し、設置スペースが小さくなり、コストを抑制することができる。
【００２５】
以上のように、本実施の形態においては、複数の加熱コイル８のいずれかが加熱動作を停止するとともに加熱動作を停止した加熱コイル８に対応する感温素子９が所定温度以上である場合に、加熱コイル８と対応する数値表示部１１の表示を高温である旨を示す文字で点灯あるいは点滅するように切り替える構成とすることにより、使用者にとって数値表示部の文字の点灯あるいは点滅と各加熱コイル８に対応する加熱部１４の高温状態が関連
して一目で理解できるので、視認性を向上させた加熱調理器を提供することができる。
【００２６】
また、本実施の形態においては加熱コイルから高周波磁界を発生させ、調理容器を誘導加熱する誘導加熱方式を採用しているが、加熱コイルの代わりにガスバーナーなどの加熱部を構成する加熱調理器においても同様の効果が得られる。
【００２７】
（実施の形態２）
図３は、本発明の第２の実施の形態における加熱調理器の電源スイッチ開の構成図である。
【００２８】
図３において、電源スイッチ１５は、インバータ回路６へ電源を供給するためのスイッチである。制御部７には、記載していない他の経路から電源は供給されている。
【００２９】
その他の構成に関しては、図１と同様のため、説明は省略する。
【００３０】
以上のように構成された加熱調理器について、以下その動作、作用を説明する。
【００３１】
図３において、電源スイッチ１５は、閉とすることで商用電源３からインバータ回路６に電源を供給しかつ開とすることでインバータ回路６への電源供給を遮断する。
【００３２】
電源スイッチ１５が開でかつ感温素子９の検知温度が高温となる場合に、数値表示部１１は高温表示部１２と関連付けて高温である旨を示す文字で点灯あるいは点滅を行う構成とする。
【００３３】
以上のように、本実施の形態においては、閉とすることで商用電源からインバータ回路に電源を供給しかつ開とすることで前記インバータ回路への電源供給を遮断する電源スイッチを備え、前記電源スイッチが開となる場合に、前記加熱コイルと対応する前記数値表示部の表示を高温である旨を示す文字で点灯あるいは点滅するように切り替える構成とすることにより、使用者にとって数値表示部の文字の点灯あるいは点滅と各加熱部の高温状態が関連して一目で理解できるので、視認性を向上させた加熱調理器を提供することができる。
【００３４】
（実施の形態３）
図４は、本発明の第３の実施の形態における加熱調理器の電源スイッチ閉の構成図である。
【００３５】
図４において、構成は図３と同様のため、説明は省略する。
【００３６】
以上のように構成された加熱調理器について、以下その動作、作用を説明する。
【００３７】
図４において、電源スイッチ１５が閉でかつ加熱コイル８の加熱動作が停止しかつ感温素子９の検知温度が高温となる場合に、数値表示部１１は高温表示部１２と関連付けて高温である旨を示す文字で点灯あるいは点滅を行う構成とする。
【００３８】
以上のように、本実施の形態においては、電源スイッチが閉でかつ加熱部の加熱動作が停止している場合に、前記加熱コイルと対応する前記数値表示部の表示を高温である旨を示す文字で点灯あるいは点滅するように切り替える構成とすることにより、使用者にとって数値表示部の文字の点灯あるいは点滅と各加熱部の高温状態が関連して一目で理解できるので、視認性を向上させた加熱調理器を提供することができる。
【００３９】
（実施の形態４）
図５は、本発明の第４の実施の形態における加熱コイルと数値表示部の対応表示図である。
【００４０】
図５において、数値表示部１１は１桁以上の７セグメントディスプレイにてデジタル数値表示を備えている。
【００４１】
その他の構成に関しては、図２と同様のため、説明は省略する。
【００４２】
以上のように構成された加熱調理器について、以下その動作、作用を説明する。
【００４３】
図５において、加熱コイル８のいずれかが加熱動作を停止するとともに加熱動作を停止した加熱コイル８に対応する感温素子９が所定温度以上である場合に、加熱コイル８と対応する数値表示部１１の表示を高温である旨を示す文字としてアルファベットでＨの表示を点灯あるいは点滅させ、高温表示部１２と関連付けて表示させる。
【００４４】
以上のように、本実施の形態においては、数値表示部はデジタル数値表示を行い、高温である旨を示す文字としてアルファベットでＨの表示をするようにすることで、使用者にとって数値表示部と高温表示部の関連性がより一層理解でき、視認性を向上させた加熱調理器を提供することができる。
【００４５】
（実施の形態５）
図６は、本発明の実施の形態５における加熱調理器の構成図である。
【００４６】
高温表示部は、感温素子９が高温状態となる場合に高温警告を表示するための発光素子１６と、発光素子１６の断線を検知するための断線検知部１７を備えている。
【００４７】
その他の構成に関しては、図３と同様のため、説明は省略する。
【００４８】
以上のように構成された加熱調理器について、以下その動作、作用を説明する。
【００４９】
図６において、断線検知部１７は発光素子１６が断線状態となった場合、断線情報を制御部７を介して数値表示部１１に発光素子１６が断線状態である旨をエラーコードで表示する。さらに、断線検知部１７により断線が確定し、断線情報を制御部７が受信すると全ての加熱コイルの加熱動作を停止する。
【００５０】
以上のように、本実施の形態においては、高温表示部は、複数の加熱コイルの高温状態を共用して表示する発光素子と前記発光素子の断線を検知する断線検知部を備え、前記発光素子の断線を前記断線検知部が検知した場合には全ての加熱部の加熱動作を停止して数値表示部により対応するエラーコードをデジタル数値で表示を行う構成とすることで、設置スペースが小さくなるとともに、コストを抑制する効果がある。
【００５１】
本実施の形態は、加熱動作が正常でかつ高温表示部１２の断線が発生した場合に数値表示部に断線である旨のエラーコードを表示させるものであるが、既に異常が発生している状態から更に高温表示部１２の断線が発生した場合には、既に異常が発生している状態に対応するエラーコードと高温表示部１２の断線状態を示すエラーコードを対象となる加熱コイルに対応する数値表示部に交互で表示することも可能であり、これに限定されるものではない。
【産業上の利用可能性】
【００５２】
以上のように、本発明にかかる加熱調理器は、高温表示部の高温警告と数値表示部の高温警告と理解できる文字を関連付けて表示を行うことができるので、組み込み式や置き台の上で使用する据え置き型、又はガスコンロ等で、家庭用又は業務用の加熱調理器に有効である。
【符号の説明】
【００５３】
１  トッププレート
２  被加熱物
６  インバータ回路
７  制御部
８  加熱コイル
９  感温素子
１０  温度検知部
１１  数値表示部
１２  高温表示部
１３  操作部
【図１】
2013008604.tif 000003
【図２】
2013008604.tif 000004
【図３】
2013008604.tif 000005
【図４】
2013008604.tif 000006
【図５】
2013008604.tif 000007
【図６】
2013008604.tif 000008
【図７】
2013008604.tif 000009